(57)【要約】  ドリンクホルダー及びフード容器（1）は、複数の側壁(8)とベアリング面(9)の一つの組により形成され、下側部分(3)に間接的な連結方法で繋がれて接続された上側部分(2)と、複数の側壁(8)とベアリング面(9)の一つの組により形成された下側部分(3)と、を備え、ベアリング面(9)の少なくとも一つは、一つの容器(1)がカップ(5)及び食べ物の両方を含む場合、消費者が片手又は腕ですべてを運ぶことができるように、容器の一部を形成し、カップ（5）が挿入される孔(6)を備えている。容器（1）は、カップ（5）を持つことにより保持することができる。孔(6)は、円形、多角形、又は他の幾何学形状であってもよく、常にカップの形状に相補的である。【選択図】図１
2016509979.tif 000002
【特許請求の範囲】
【請求項１】
複数の側壁(8)とベアリング面(9)の一つの組により形成され、下側部分(3)に関節的な連結方法で繋がれて接続された上側部分(2)と、
複数の側壁(8)とベアリング面(9)の一つの組により形成された下側部分(3)と、を備えたドリンクホルダー及びフード容器（1）において、
前記フード容器(1)は、前記ベアリング面(9)の少なくとも一つにおいて、一つの容器がカップ及び食べ物の両方を含む場合、消費者が片手又は腕ですべてを運ぶことができるように、前記フード容器(1)の一部を形成し、カップ（5）が挿入される孔(6)を備えており、
前記フード容器（1）は、前記カップ（5）を持つことにより保持することができることを特徴とする。
【請求項２】
請求項１に係るドリンクホルダー及びフード容器（1）は、前記孔（6）が、少なくとも１つのベアリング面(9)の中心にあることを特徴とする。
【請求項３】
請求項１又は２のいずれかに記載のドリンクホルダー及びフード容器（1）は、孔(6）が、円形であり、カップ(5)の形状と相補的であることを特徴とする。
【請求項４】
請求項１又は２のいずれかに記載のドリンクホルダー及びフード容器（1）は、孔（6）が、多角形であり、カップ(5)の形状と相補的であることを特徴とする。
【請求項５】
請求項３又は４のいずれかに記載のドリンクホルダー及びフード容器（1）は、孔（6）が、閉じた打ち抜き線(4)により画定されることを特徴とする。
【請求項６】
請求項３又は４のいずれかに記載のドリンクホルダー及びフード容器（1）は、孔（6）が、透明な紙のシートで覆われていることを特徴とする。
【請求項７】
請求項３又は４のいずれかに記載のドリンクホルダー及びフード容器（1）は、孔（6）が、工場での製造プロセス中において開口されていることを特徴とする。
【発明の詳細な説明】
【技術分野】
【０００１】
本発明の目的は、容器の一部を形成する孔を備える食べ物用の容器に関連し、カップを保持するのに適した容器を提供する。このように、一つの容器がカップと食べ物の両方を含む場合、消費者は、片手又は腕ですべてを運ぶことができる。
【０００２】
本発明は、フード産業の分野において、特に、ケータリング、ホテル業界、及び家庭の使用において、特に利用される。
【背景技術】
【０００３】
今日では、ファーストフードレストラン、映画館、劇場、コンサートなどの専門店において、食べ物が用意され、そしてすぐに食べられるように提供される食事をライフスタイルとする人々を見ることがますます一般的なこととなっている。
【発明の概要】
【発明が解決しようとする課題】
【０００４】
個人がこれらの施設の一つに行き、食べ物及び飲み物の１つ以上の組み合わせを購入した場合、両手で全てを運ぶことができないという問題を有しており、全てを一緒に運ぶことが困難であるため、全てを落としてしまうというリスクが生じ、その結果、消費者は腕及び身体を使って全てを一度に運ぶ方法を探さねばならないということが、しばしば起こっていた。
【０００５】
本発明の目的は、容器の一部を形成する孔を備える食べ物用の容器であり、カップを保持するのに適した容器を提供することにより、これらの課題を克服することである。
【０００６】
したがって、本発明は、前述の問題を解決して、食べ物及び飲み物を片手又は腕で一緒に運ぶことができる食べ物用の容器を提供するという利点を有し、使用者により大きな快適さを提供する。
【課題を解決するための手段】
【０００７】
本発明は、ドリンクホルダー及びフード容器に関連し、ドリンクホルダー及びフード容器は：
それぞれが複数の側壁及びベアリング面（支持面）の一つの組により形成され、両方の部分が関節的な連結方法で互いにつながれ接続された上側部分及び下側部分を備えており、
ベアリング面の少なくとも一つが、容器の一部を形成する孔であり、カップが挿入され得る孔を備え、一つの容器がカップと食べ物の両方を含むとき、消費者はたった１つの手と腕で全てを運ぶことができる。
好ましい実施形態において、孔は、ベアリング面の中心にあり、カップの形状に相補的な円形又は多角形でもよい。
【０００８】
実施形態は三つの異なるモードを有し：
孔が、閉じた打ち抜き線で画定されており、
孔が、透明な紙のシートにより覆われており、そして
孔が、工場での製造プロセス中において開口している。
フード容器は、カップを持つことにより、保持することができる。
他の実施形態において、孔は、ベアリング面に対して任意のオフセット位置に配置することができ、カップの形状に適合するように他の幾何学形状を有することもできる。
【０００９】
フード容器は、任意の幾何学形状を有することができ、任意の材料で形成され、好適な本実施形態では厚紙で形成される。
【発明の効果】
【００１０】
本発明は、食べ物及び飲み物を片手又は腕で一緒に運ぶことができる食べ物用の容器を提供するという利点を有し、使用者により大きな快適さを提供する。
【図面の簡単な説明】
【００１１】
本発明の特徴のより良い理解を助ける目的で明細書を完成させるために、図面の組は、その不可欠な部分として、明細書に添付されており、限定されることがない例示として、以下に表されている：
【図１】図１は、第１の実施形態に対応し、本発明のフード容器は、容器の下側部分の孔に挿入されたカップを備えることが示されており、孔が閉じた打ち抜き線を破ることにより画定されており、そして一方の端部に付いているスペアシートを示している。
【図２】図２は、第２の実施形態に対応し、図１のフード容器を示すが、この場合、孔は、透明な紙のシートで覆われており、透明な紙はカップを挿入するために除去されており、このため、透明な紙は図示されていない。
【図３】図３は、第３の実施形態に対応し、孔は、工場での製造プロセス中において開口されている。図３は、本発明の適用のイメージ図であり、もう一方の手で上側部分を持つことなく、片手でカップを保持しているところを示している。
【発明を実施するための形態】
【００１２】
本発明の目的は、食べ物用の容器(1)に関連し、容器（1）の一部を形成する孔(6)を備えた、カップ（5）を保持するのに適した容器の提供である。これにより、一つの容器（1）がカップ（5）と食べ物の両方を含む場合、消費者は、たった一つの手又は腕ですべてを運ぶことができる。
【００１３】
ドリンクホルダー及びフード容器（1）は、上側部分（2）と下側部分（3）を備え、各部分（2、3）は複数の側壁(8)と、ベアリング面（9）の一組により形成され、そして二つの部分（2,3）のいずれかが孔(6)を備え、その孔の中にカップ(5)を挿入することができる。
【００１４】
食べ物用の容器（1）は、レストランで食べる又はテークアウトするチップ、ハンバーガー及びその他のファーストフードを含んでいてもよい。
【００１５】
好ましい実施形態の孔（6）は、２つの部分、上側部分又は下側部分の（2,3）のいずれかのベアリング面（9）に対して中央に配置されており、カップ（5）は組立て品の安定性を失うことを引き起こすことがない。
【００１６】
他の実施形態においては、孔（6）をベアリング面（9）に対して任意のオフセット位置に配置することができる。
【００１７】
前記孔（6）は、カップ（5）の形状に合うように、他の幾何学形状を有してもよく、好ましい本実施形態では円形である。
【００１８】
第１の実施形態において、図１に示されているように、孔（6）は閉じた打ち抜き線(4)により画定されている。閉じた打ち抜き線（4）内に画定された、容器（1）の小さな部分は、スペアシート(7)と呼ばれる。残っているスペアシート（7）を吊すか、それを完全に取り除くかの選択は、消費者の好みである。図１は、一方の端部に吊り下がったスペアシート（7）を示している。
【００１９】
閉じた打ち抜き線（4）を破ることは、容易かつ簡単に指の圧力によって行われる。残っている孔（6）は、氷を有するカップ(5)又は他の物品、例えばボトル等の重量を保持するのに十分な大きさを有している。
【００２０】
食べ物の購入に伴って飲み物を入手しない場合には、スペアシート（7）は、その初期の構成において破ることなく残すことができ、即ち、容器(1)の一部を形成する。
【００２１】
第２の実施形態においては、孔（6）が透明な紙のシートで覆われており、その透明な紙は容器(1)に貼り付けられていてもよく、又は両方の形状が透明な紙の前記シートを容易に除去することを許すように簡単に破壊されるものでもよい。言うまでもなく、孔（6）は、任意の他の材料のシートにより覆われてもよい。
【００２２】
第３の実施形態においては、孔（6）が工場での製造プロセス中において開口されている。
【００２３】
図３は、孔（6）が工場での製造プロセス中において開口されている第３の実施形態に対応しており、手で容器の上側部分(2)を持つことなく、通常最も重い部分であるプラスチックカップをユーザが保持する方法を示している。
【００２４】
好ましい本実施形態においては、容器（1）は厚紙で作られ、コーナで折り曲げられており、それにより、この型式の容器（1）の典型的な構成を有している。言うまでもなく、容器（1）は、任意の幾何学形状を有していてもよいし、任意の材料で形成されていてもよい。
【００２５】
別の実施形態においては、ベアリング面（9）が別の幾何学形状を有していてもよく、好ましい本実施形態では平坦である。
【００２６】
食べ物と一緒に食べるために購入された飲み物は、通常円錐台形のカップ（5）で販売されている。ファーストフードのこの種のカップ（5）は、多くの場合、ストローを備えているため、傾けることなく、内容物を飲むことを可能にするであろう。
【００２７】
本発明は、本明細書に記載の実施形態に限定されるものではなく、他の構成は、本開示に照らして当業者により実行することが可能である。したがって、本発明の範囲は特許請求の範囲により画定される。
【符号の説明】
【００２８】
本発明の図面に示される様々な要素のリストを以下に示す。
１  容器
２  容器の上側部分
３  容器の下側部分
４  閉じた打ち抜き線
５  カップ
６  孔
７  スペアシート
８  側壁
９  ベアリング面
【図１】
2016509979.tif 000003
【図２】
2016509979.tif 000004
【図３】
2016509979.tif 000005
【国際調査報告】
2016509979.tif 000006
2016509979.tif 000007
2016509979.tif 000008
2016509979.tif 000009